(57)【要約】【課題】  配線の導通芯材の半田固定部にストレスが確実に加わらないようにすると共に半田固定部が基板のどこであっても、前記ストレス防止構造が何等関係なく形成可能なる配線固定構造を提供する。【解決手段】  配線２の導通芯材３が基板１に半田固定されてなる配線固定構造において、配線２の導通芯材３の半田固定部４に適宜離れた位置の基板１に、クリップ６の柱状本体７及び該柱状本体７の下部に形成された係合支持部８が挿入可能なる貫通孔が形成されてなり、クリップ６の柱状本体７の上部には、配線２の非導通被覆１０を収納可能なると共に該非導通被覆１０を基板１側に弾性的に押圧可能なる弾性羽根部９，９が形成されてなる。【選択図】        図１
2007059542.tif 000002
【特許請求の範囲】
【請求項１】
配線の導通芯材が基板に半田固定されてなる配線固定構造において、
前記配線の導通芯材の半田固定部に適宜離れた位置の基板に、クリップの柱状本体及び該柱状本体の下部に形成された係合支持部が挿入可能なる貫通孔が形成されてなり、
前記クリップの柱状本体の上部には、前記配線の非導通被覆を収納可能なると共に該非導通被覆を基板側に弾性的に押圧可能なる弾性羽根部が形成されてなることを特徴とする配線固定構造。
【請求項２】
請求項１記載の配線固定構造であって、
前記クリップの柱状本体は、二股状をなす前記配線の非導通被覆の間に配されることを特徴とする配線固定構造。
【発明の詳細な説明】
【技術分野】
【０００１】
本発明は、配線固定構造に関するものである。
【背景技術】
【０００２】
一般に、配線固定構造としては、基板に配線の導通芯材を半田により固定し、配線の導通芯材の半田固定部に直接ストレスが加わるのを防止する目的で、配線の非導通皮膜の揺れを止める手段として、基板とは別物の、例えば筺体に形成した係止突起などを用いて、非導通皮膜を挟み込むようにしているものがある（例えば、特許文献１。）。
【特許文献１】実開昭５９−０４７９１１号公報
【発明の開示】
【発明が解決しようとする課題】
【０００３】
しかしながら、このような従来の技術にあっては、配線に何らかの荷重が加わって、配線が持ち上げられる方向に付勢されると、その持ち上げ力が配線の導通芯材に加わり、半田固定部にストレスが加わるのを確実に防止することができないでいる。また、半田固定部が基板の中央など基板とは別物のものが半田固定部より離れている場合には、係止突起を形成しにくい場合があり、係止突起の形成自由度が阻害される場合がある。
【０００４】
本発明は、このような従来の技術に着目してなされたものであり、配線の導通芯材の半田固定部にストレスが確実に加わらないようにすると共に半田固定部が基板のどこであっても、前記ストレス防止構造が何等関係なく形成可能なる配線固定構造を提供するものである。
【課題を解決するための手段】
【０００５】
請求項１に記載の発明は、配線の導通芯材が基板に半田固定されてなる配線固定構造において、前記配線の導通芯材の半田固定部に適宜離れた位置の基板に、クリップの柱状本体及び該柱状本体の下部に形成された係合支持部が挿入可能なる貫通孔が形成されてなり、前記クリップの柱状本体の上部には、前記配線の非導通被覆を収納可能なると共に該非導通被覆を基板側に弾性的に押圧可能なる弾性羽根部が形成されてなることを特徴とする。
【０００６】
請求項２に記載の発明は、前記クリップの柱状本体は、二股状をなす前記配線の非導通被覆の間に配されることを特徴とする。
【発明の効果】
【０００７】
請求項１記載の発明によれば、配線の導通芯材の半田固定部に適宜離れた位置の基板に、クリップの柱状本体及び該柱状本体の下部に形成された係合支持部が挿入可能なる貫通孔が形成されてなるため、半田固定部が基板のどこであっても、ストレス防止構造となるクリップが何等関係なく配設可能である。また、前記クリップの柱状本体の上部には、前記配線の非導通被覆を収納可能なると共に該非導通被覆を基板側に弾性的に押圧可能なる弾性羽根部が形成されてなるため、配線の非導通被覆に何らかの付勢力が加わっても、導通芯材の半田固定部にストレスが加わるのが確実に防止できる。
【０００８】
請求項２記載の発明によれば、前記クリップの柱状本体は、二股状をなす前記配線の非導通被覆の間に配されるため、二股状をなす配線の非導通被覆には、弾性羽根部により均等に基板への押圧力が加えられ、配線を動かさないようにできる。
【発明を実施するための最良の形態】
【０００９】
本発明は、配線の導通芯材の半田固定部にストレスが確実に加わらないようにすると共に半田固定部が基板のどこであっても、前記ストレス防止構造が何等関係なく形成可能なる配線固定構造を提供するという目的を、配線の導通芯材が基板に半田固定されてなる配線固定構造において、前記配線の導通芯材の半田固定部に適宜離れた位置の基板に、クリップの柱状本体及び該柱状本体の下部に形成された係合支持部が挿入可能なる貫通孔が形成されてなり、前記クリップの柱状本体の上部には、前記配線の非導通被覆を収納可能なると共に該非導通被覆を基板側に弾性的に押圧可能なる弾性羽根部が形成されてなることで、実現した。以下、本発明の実施例を図面に基づいて説明する。
【実施例】
【００１０】
図１〜図３は、本発明の一実施例を示す図である。
【００１１】
符号１は、前照灯などに電気的接続をする基板であり、該基板１の適宜の位置において、配線２の導通芯材３が半田により固定されてなる。該半田固定部４より適宜離れた位置に貫通孔５が形成されてなり、該貫通孔５にクリップ６が保持されてなる。
【００１２】
前記クリップ６は、柱状本体７と、該柱状本体７の下部に配される係合支持部８と、柱状本体７の上部に屋根状に配される弾性羽根部９、９とより一体に形成されてなる。前記柱状本体７及び係合支持部８は、前記貫通孔５に挿入可能なる横断面に形成されてなる。前記係合支持部８は、貫通孔５に係合する際は、一旦撓んで貫通孔５を抜けた後に元の形状に復帰することで、上側に抜けない関係にある。前記弾性羽根部９、９は、前記配線２の導通芯材３を覆う非導通被覆１０を収納可能なる空間部１１が柱状本体７の両側に形成されてなると共に係合支持部８が貫通孔５に係合することで、該非導通被覆１０を基板１側に弾性的に押圧可能なるように形成されてなる。弾性羽根部９、９の自由端部９ａ，９ａは、基板１に平行になるように形成されている。
【００１３】
前記クリップ６の柱状本体７は、二股状をなす前記配線２の非導通被覆１０，１０の間に配される。
【００１４】
この実施例によれば、配線２の導通芯材３の半田固定部４に適宜離れた位置の基板１に、クリップ６の柱状本体７及び該柱状本体７の下部に形成された係合支持部８が挿入可能なる貫通孔５が形成されてなるため、半田固定部４が基板１のどこであっても、ストレス防止構造となるクリップ６が何等関係なく配設可能である。
【００１５】
また、前記クリップ６の柱状本体７の上部には、前記配線２の非導通被覆１０を収納可能なると共に該非導通被覆１０を基板１側に弾性的に押圧可能なる弾性羽根部９，９が形成されてなるため、配線２の非導通被覆１０に図１に矢印で示す何らかの付勢力が加わっても、導通芯材３の半田固定部４にストレスが加わるのが確実に防止できる。
【００１６】
前記クリップ６の柱状本体７は、二股状をなす前記配線２、２の非導通被覆１０，１０の間に配されるため、二股状をなす配線２の非導通被覆１０，１０には、弾性羽根部９，９により均等に基板１への押圧力が加えられ、配線２、２を動かさないようにできる。
【産業上の利用可能性】
【００１７】
以上の実施例では、弾性羽根部９、９の自由端部９ａ，９ａは、基板１に平行になるように形成されているが、これに限定されない。弾性羽根部９、９によって、配線２を基板１側に押圧する状態を安定的に可能な形状であれば構わない。
【図面の簡単な説明】
【００１８】
【図１】本発明の一実施例に係る配線固定構造の斜視図。
【図２】図１の断面図。
【図３】図１及び図２に係るクリップの斜視図。
【符号の説明】
【００１９】
１  基板
２  配線
３  配線の導通芯材
４  半田固定部
５  貫通孔
６  クリップ
７  クリップの柱状本体
８  クリップの係合支持部
９  クリップの弾性羽根部
１０  配線の非導通被覆
【図１】
2007059542.tif 000003
【図２】
2007059542.tif 000004
【図３】
2007059542.tif 000005